(57)【要約】【課題】電気を人工的及び応急的すくなくともいずれか一方として充電したり、電気を供給することにより電気使用のニーズに応える手動充電式安全電源及び手動充電つき電子データ再生機を提供する。【解決手段】手動発電電気回路１及び充電電池Ｅを充電するための出力インターフェイス２から構成されている。手動発電電気回路１の出力は、電気回路３を通して出力インターフェイス２に接続する。このほかにも直流電源インターフェイス４もある。これは電気回路３を通して出力インターフェイス２に接続し、外付け電源で充電電池Ｅを充電する。【選択図】図２
0003133317.tif 000002
【実用新案登録請求の範囲】
【請求項１】
手動発電電気回路と充電電池とに充電を行うための出力インターフェイスを備え、手動発電電気回路の出力は、電気回路を通して出力インターフェイスに接続して行い、
直流電源インターフェイスは、電気回路を通して出力インターフェイスに接続し、外付け電源を使って充電電池を充電するために使うことを特徴とする手動充電式安全電源。
【請求項２】
安全制御電気回路を有し、安全制御電気回路の入力ポートと手動発電電気回路または直流電源インターフェイスの出力ポートとは、前記出力ポートと出力インターフェイスとに接続することを特徴とする請求項１に記載の手動充電式安全電源。
【請求項３】
手動発電電気回路がドライブホイール、モータ、及び整流電気回路を有し、ドライブホイールとモータとは伝動装置を使って接続し、モータの出力ポートは整流電気回路を使って電気接続することを特徴とする請求項１または２に記載の手動充電式安全電源。
【請求項４】
駆動装置を有し、ドライブホイール上に巻きついた柔らかい紐とこれについている引き輪とから出来ており、引き輪を引っ張ることによりドライブホイールを回転駆動させ、モータで発電させる仕組みであることを特徴とする請求項３に記載の手動充電式安全電源。
【請求項５】
さらに駆動装置を一つ有し、駆動装置の一つは、ドライブホイールとかみ合うギヤ／取っ手であり、ギヤを回転させることにより、または取っ手を押すことにより、ドライブホイールの回転を駆動させ、モータを発電させることを特徴とする請求項３に記載の手動充電式安全電源。
【請求項６】
さらに駆動装置を一つ有し、駆動装置の一つは、ドライブホイールとつながる揺り動かすことが可能な取っ手から構成され、取っ手を揺り動かすことにより、ドライブホイールの回転を駆動し、モータを発電させることを特徴とする請求項３に記載の手動充電式安全電源。
【請求項７】
モータが少なくとも二つあり、伝動装置を通してそれぞれにドライブホイールと連結していることを特徴とする請求項３に記載の手動充電式安全電源。
【請求項８】
外装内に取り付けられている手動発電電気回路と直流電源インターフェイス電気回路とを有し、
前記手動発電電気回路により機械的エネルギーが電気エネルギーに転換されて電源が供給され、手動発電電気回路の手動制御ポートは、外装の開いた口のひとつから外装の外に露出し、
また直流電源インターフェイス電気回路は、外付け電源を使って電源を提供するために用いられることを特徴とする手動充電つき電子データ再生機。
【請求項９】
手動制御ポートが外装のどちら側にもあることを特徴とする請求項８に記載の手動充電つき電子データ再生機。
【請求項１０】
手動発電電気回路が安全制御電気回路を通して中央制御電気回路とつなげられ、機械的エネルギーを電気エネルギーに転換し、電源が提供されることを特徴とする請求項９に記載の手動充電つき電子データ再生機。
【請求項１１】
ＵＳＢインターフェイスを有し、電気回路を通して充電電池を充電するための出力インターフェイスとつなげられ、外部電源とつないで充電電池を充電するために使うことが可能であることを特徴とする請求項１０に記載の手動充電つき電子データ再生機。
【請求項１２】
ＭＰ３オーディオプレーヤー、ＭＰ４ビデオプレーヤー、ポータブルゲーム機、携帯電話、携帯パソコンのうちいずれかであることを特徴とする請求項１０に記載の手動充電つき電子データ再生機。
【考案の詳細な説明】
【技術分野】
【０００１】
本考案は、電源電器供給器とプレーヤーとから成る手動充電式安全電源装置及び手動充電つき電子データ再生機に関する。ここに述べる手動充電式の安全電源は、各種の充電電池、または外付け直電流を使用するポータブル電化製品及び一般電化製品に応用することができる。
【背景技術】
【０００２】
現在ポータブル電化製品は、ますます人気である。例えばポータブルラジオ（無線電波受信装置）、ＭＰ３オーディオプレーヤー、ＭＰ４オーディオビデオプレーヤー、携帯パソコン、ＰＳ、照明設備、ラップトップパソコン、ゲーム機、セルラー電話、おもちゃ、液晶表示テレビ（ＬＣＤ  ＴＶ）等を挙げることが出来る。これらのポータブル電化製品は、ほとんどが充電電池で電気を供給しており、同時に直流電源（またはポータブル変圧器で一般供給の電気を直流電気に変換して使う）で電気を供給することもでき、使い勝手が非常に便利にできている。各メーカは電池の使用持続時間を上げてより便利にするため、常にさまざまな大容量かつ持続時間の長い充電電池を研究し続けている。ニッケル水素電池から最近のリチウム電池に至るまで研究が続いてきたが、それでも持続時間には依然として限度がある。突然電池がなくなったために使用に影響した経験は、よくあるだろう。電気の使用が不便な場所、例えば電車の中、辺鄙な場所、山の中、海上など、公共電気の供給がないところでは、ちょうど電池が切れてしまい、普通電池を買える場所もない場合、使える電気がない情況に陥ってしまう。小さくは興がそがれ、大きくは仕事、生活に不便を招き、ひいては予想外の深刻な結果を招くことにもなる。同時にオーディオ・ビデオ再生機能つきプレーヤーで使う普通電池は、すべて炭素系またはアルカリ系電池である。周知の通り、これらの電池は比較的安価ではあるが、環境には救いようのない破壊をもたらす。
【考案の開示】
【考案が解決しようとする課題】
【０００３】
本考案の目的は、電気を人工的及び応急的少なくともいずれか一方として充電したり、電気を供給することにより電気使用のニーズに応えることにある。また本考案は、充電電池の充電器として使うことのできる手動充電式安全電源でもあり、手動で発電できる、電子データ再生機能のついたプレーヤーをも提供している。これは既存技術の欠陥を克服するものである。
【課題を解決するための手段】
【０００４】
本考案では、手動充電式の安全な電源を実現している。これは既存技術を基礎として、直接充電と手動充電との機能を結び合わせ、両者を同一電源装置に集中させたものである。具体的には手動発電の電気回路及び充電電池を充電するための出力インターフェイスから構成されている。手動発電の電気回路の出力は、電気回路を通して出力インターフェイスに接続する。このほかにも直流電源インターフェイスもある。これは電気回路を通して出力インターフェイスに接続し、外付け電源で充電電池を充電する。これらをベースとして、さらに安全充電電気回路を増やし、安全確保を図っている。またＵＳＢインターフェイスを増やすことで、オーディオ・ビデオ再生機能のあるプレーヤーのために直流供電インターフェイス機能及びデータ伝達インターフェイス機能を提供し、非常に使いやすくなっている。
【０００５】
本考案は、ＭＰ３、ＭＰ４、電子書リーダー等といった各種電子データ再生機に応用することができる。公共電気や直流電気が使えるところでは、直流電源インターフェイスで充電を行うことができ、公共電気や直流電気の使用が不便なところでは、本考案の手動充電式安全電源装置で手動充電することができる。あるいは直接ポータブル電化製品に安定した仕事電流を送ることができ、格段に便利さを増した。本考案の安全電気回路は、充電電池の充電が終われば、システムが自動的に電気供給の回路を切断させるため、非常に安全である。オーディオ・ビデオ再生機能つきプレーヤーに、手動発電の電気回路と安全制御電気回路をつけることにより、手動で充電電池を充電することができるようになった。あるいは直接プレーヤーに安定した仕事電流を送り、格段に使いやすくなり、便利かつ環境にやさしい製品を実現した。
【考案を実施するための最良の形態】
【０００６】
以下は図面と具体実施例に基づき、本考案に対してさらに詳しい説明をしたものである。
図１が示すように、本考案の実施例による手動充電式安全電源は、手動発電電気回路１、出力インターフェイス２、及び安全制御電気回路３から構成されている。安全制御電気回路３の入力ポートと手動発電電気回路１の出力ポートとを電気で接続し、その出力ポートと出力インターフェイス２とを接続する。出力インターフェイス２は、携帯電話、ＭＰ３等のポータブル電化製品と直接つなげることのできる標準的なインターフェイスであり、ただの導線でもよい。
電気を使う必要があるときは、直接手動発電機を駆動させる。手動発電機は、内部のコイルの巻きついた永久磁石を回転させて電流を作る。その電流が整流を経て、安全制御電気回路３を通って、電化製品に安全で安定した仕事電流を送ることができるのである。
【０００７】
図２に示すように、本考案の第１実施例による手動充電式安全電源は、主に手動発電電気回路１、出力インターフェイス２、安全制御電気回路３、直流電源インターフェイス４、及び充電電池Ｅで構成されている。
第一二極管Ｄ１の陽極と直流電源インターフェイス４の出力ポートとを接続し、その陰極と安全制御電気回路３の入力ポートとを接続する。第十二極管Ｄ１０の陽極と手動発電電気回路１の出力ポートとを接続し、その陰極と電圧リミット５の一ポートとを接続する。電圧リミット５の別ポートとここに述べる安全制御電気回路３の入力ポートとを接続する。安全制御電気回路３の出力ポートと出力インターフェイス２と充電電池Ｅとを接続する。
【０００８】
その中で第一二極管Ｄ１と第十二極管Ｄ１０とは、隔離の役割を果たし、手動発電と外付け直流入力とが互いに逆流することを防ぐ。二極管Ｄ３からＤ８を構成する電気回路は、手動発電機の整流電気回路である。直流電源インターフェイス４は、標準的なプラグとコンセントであればいい。またはただの導線であってもよく、外付け直流電源がつながればよい。充電電池Ｅは固定式の充電電池であってもよいし、取替え可能な充電電池であってもよい。
【０００９】
図３が示すとおり、安全制御電気回路３は、主に第一基準源電気回路３１、第二基準源電気回路３２、第一比較器（コンパレータ、以下同じ）Ｕ１、第二比較器Ｕ２、第一スイッチチューブＱ１、第二スイッチチューブＱ２、充電中の指示電気回路３３、及び充電完了を知らせる電気回路３４から構成されている。
第一基準源電気回路３１と第二基準源電気回路３２との入力ポートを、安全制御電気回路３の入力ポートとして、手動発電電気回路１の出力ポートと接続する。第一比較器Ｕ１のプラス入力ポートと第一基準源電気回路３１の出力ポートとを電気で接続する。マイナス入力ポートと出力インターフェイス２の入力ポートとを接続し、その出力ポートと第二比較器Ｕ２のマイナス入力ポートとを電気で接続する。第二比較器Ｕ２のプラス入力ポートと第二基準源電気回路３２の出力ポートとを接続し、その出力ポートと第二スイッチチューブＱ２のベースとを電気で接続する。第二スイッチチューブＱ２のコレクターと第一スイッチチューブＱ１のベースとを電気で接続し、そのエミッターで接地を設定する。第一スイッチチューブＱ１のコレクターと手動発電電気回路１の出力ポートとをつなげ、そのエミッターと第十一二極管Ｄ１１の陽極とを電気で接続する。充電中を示す電気回路３３は、第九発光二極管Ｄ９と第二抵抗Ｒ２とで構成される直列支線であり、そのポートのひとつと第一比較器Ｕ１の出力ポートとをつなげ、もう一つのポートを接地する。充電完了を表示する電気回路３４は、第二発光二極管Ｄ２と第九抵抗Ｒ９とで構成される直列支線であり、そのポートの一つと第二比較器Ｕ２の出力ポートとをつなげ、もう一つのポートを接地する。
【００１０】
第一基準源電気回路３１は、第一抵抗Ｒ１、第三抵抗Ｒ３、第十五抵抗Ｒ１５、及び電圧調整器Ｕ３から構成される。第三抵抗Ｒ３、第一抵抗Ｒ１、及び第十五抵抗Ｒ１５の順次直列支線のポートの一つを、第一基準源電気回路３１の入力ポートとして、手動発電電気回路１の出力ポートとつなげ、もう一つのポートを接地する。第三抵抗Ｒ３と第一抵抗Ｒ１との接続点を、第一基準源電気回路３１の出力ポートとして、第一比較器Ｕ１のプラス入力ポートをつなげる。これと同時に電圧調整器Ｕ３の陰極をつなげる。電圧調整器Ｕ３の陽極接地には、その参考電圧ポートと第一抵抗Ｒ１及び第十五抵抗Ｒ１５の連結点とをつなげる。
【００１１】
第二基準源電気回路３２は、第十三抵抗Ｒ１３と第十六抵抗Ｒ１６とから構成される直列支線である。そのポートの一つは、第二基準源電気回路３２の入力ポートとして、手動発電電気回路１の出力ポートをつなげ、もう一つのポートを接地する。第十三抵抗Ｒ１３と第十六抵抗Ｒ１６との連結点は、第二基準源電気回路３２の出力ポートとして、第二比較器Ｕ２のプラス入力ポートをつなげる。
【００１２】
第四抵抗Ｒ４は、第一スイッチチューブＱ１のベースと第二スイッチチューブＱ２のコレクターとの間に連結する。第七抵抗Ｒ７は、第一スイッチチューブＱ１のコレクターとベースの間に連結する。第八抵抗Ｒ８は、第二スイッチチューブＱ２のベースと第二比較器Ｕ２の出力ポートとの間に連結する。第十抵抗Ｒ１０は、第一比較器Ｕ１のプラス入力ポートとその出力ポートとの間に連結する。第十一抵抗Ｒ１１は、第一比較器Ｕ１のプラス入力ポートと第一基準源電気回路３１の出力ポートとの間に連結する。第十二抵抗Ｒ１２は、第一比較器Ｕ１の出力ポートと第二比較器Ｕ２のマイナス入力ポートとの間に連結する。第十四抵抗Ｒ１４は、第一スイッチチューブＱ１のエミッターと第十一二極管Ｄ１１の陽極との間に連結する。第十一二極管Ｄ１１の陰極と出力インターフェイス２の入力ポートとをつなげる。
【００１３】
その中で第一基準源電気回路３１は、第一比較器Ｕ１に基準電圧を供給することができる。電圧調整器Ｕ３は、第一比較器Ｕ１に基準電圧の安定したＩＣ  ＴＬ４３１を提供することができる。その参考電圧ポートの抵抗を変えることにより、必要な任意の安定値を達成するという目的を果たすことができる。かつ圧力の安定性の精度は非常に高いものである。第二基準源電気回路３２は、第二比較器Ｕ２に基準電圧を供給することができる。第一スイッチチューブＱ１と第二スイッチチューブＱ２とは、充電調整と制御管である。本実施例ではＩＧＢＴをスイッチチューブとして選んでいる。第四抵抗Ｒ４は、充電の電流制限抵抗である。第十一二極管Ｄ１１は、充電電池が飽和状態になったとき逆流を防ぐ役割をする。
【００１４】
図４が示すとおり、手動発電電気回路１は、ドライブホイール１１、モータ１２、及び整流電気回路１３から構成されている。ドライブホイール１１とモータ１２とは、伝動装置を使って接続し、モータ１２の出力ポートと整流電気回路１３とを電気で接続する。手動で発電する必要があるときには、ドライブホイール１１を手、テーブル、またはその他の物体の表面で繰り返し転がすだけで発電することができる。発電した電流は、電圧リミット５を経て、安定した電圧供給を可能とする。その中でモータ１２は、交流モータでも直流モータでもかまわない。
【００１５】
充電電池Ｅを加えないなら、本実施例の電気回路は直接電気製品のために安定した仕事電流を供給することができる。
充電電池の充電器として使う場合、本実施例の電気回路の仕事原理は、以下のとおりである。即ち、手動発電電気回路１が発した電気、または外付け直流電気が供給した電圧が、第七抵抗Ｒ７、第一スイッチチューブＱ１、第十四抵抗Ｒ１４、及び第十一二極管Ｄ１１を通って、充電電池Ｅを充電する。また比較電圧を第一比較器Ｕ１に供給する。同時に第九発光二極管Ｄ９（ＬＥＤ）のライトがつき、充電中であることを表す。このとき、充電電流は約１８０ｍＡである。充電電池Ｅが飽和状態になれば、第一比較器Ｕ１が方向を変え、第九発光二極管Ｄ９のライトが消える。第二発光二極管Ｄ２（ＬＥＤ）のライトがつき（充電電池Ｅが飽和状態になったことをあらわす）、第二スイッチチューブＱ２へ導き入れる。このとき第四抵抗Ｒ４へ分流した後、充電器は微量電流による充電方式に変換され、出力電流は５０ｍＡより低くなる。この電気回路は、ニッケル水素電池の特性に基づいて設計されたものであり、微量電流による充電は、充電電池Ｅが飽和状態に充電されないことを防ぎ、かつ連続３０日充電を続けても、電池に影響がでないようになっている。
【００１６】
本考案の第２実施例による手動充電式安全電源は、手動発電電気回路１の部分以外、その他の電気回路構造は、第１実施例とまったく同じである。
図５が示すとおり、手動発電電気回路１は、ドライブホイール１１、モータ１２、整流電気回路１３、及び駆動装置から構成されている。ここに述べるドライブホイール１１とモータ１２とは、伝動装置を通して接続され、モータ１２の出力ポートと整流電気回路１３とが電気で接続される。駆動装置は、ドライブホイール１１の上に巻かれた柔らかい紐とこれにつなげられた手動制御ポート１４とで構成されており、ここに述べる手動制御ポート１４は、手動の引っ張り輪である。手動で発電する必要のあるとき、繰り返しこの輪を引っ張るだけでよい。
【００１７】
本考案の第３実施例による手動充電式安全電源は、手動発電電気回路１の部分以外、その他の電気回路構造は、第１実施例とまったく同じである。
図６が示すとおり、手動発電の電気回路１は、ドライブホイール１１、モータ１２、整流電気回路１３、及び駆動装置から構成されている。ここに述べるドライブホイール１１とモータ１２とは、伝動装置で接続され、モータ１２の出力ポートと整流電気回路１３とは、電気でつながっている。駆動装置は、ドライブホイール１１とかみ合うギヤである。即ちここに述べるギヤを手動制御ポート１４となす。手動発電する必要があるときは、ギヤを手、テーブル、またはその他の物体の表面で繰り返し転がすだけでよい。
【００１８】
駆動装置は、ドライブホイール１１とかみ合う歯車のついた弾力取っ手であってもよい。手動で発電する必要がある場合は、弾力取っ手を押し、駆動ドライブホイール１１を駆動させて回転させ、モータを回転させて発電する。
駆動装置は、ドライブホイール１１と接続された中心軸の周りを回転する揺り動かすことのできる取っ手であってもよい。手動で発電する必要がある場合は、取っ手を揺り動かすことにより、ドライブホイール１１を回転させることでモータを回転させ、発電する。
【００１９】
本考案の第４実施例による手動充電式安全電源は、手動発電電気回路１の部分以外、その他の電気回路構造は、第１実施例とまったく同じである。
図７が示すとおり、手動発電電気回路１は、ドライブホイール１１、二つのモータ１２、整流電気回路１３、及び駆動装置より構成されている。ここに述べるドライブホイール１１とふたつのモータ１２とは、それぞれ伝動装置を通って接続され、モータ１２の出力ポートと整流電気回路１３とは電気で接続する。駆動装置は、ドライブホイール１１とかみ合うギヤである。即ちここに述べるギヤを手動制御ポート１４とする。手動発電する必要があるときは、ギヤを手、テーブル、またはその他の物体の表面で繰り返し転がせばよい。
【００２０】
本装置は、蓄電池または外付け直流電気を使い、各種ポータブル電化製品のために安定した仕事電流を供給することができる。外付け直流電気、または手動発電機を使って、蓄電池を充電することができる。蓄電池の充電オーバーを防ぐため、蓄電池の充電が飽和状態になったとき、システムが自動的に電気供給回路を切断する。本装置は、ポータブルラジオ（無線電気受信装置）、ＭＰ３プレーヤー、ＭＰ４プレーヤー、携帯パソコン、ＰＳ、照明設備、ラップトップパソコン、ゲーム、セルラー電話、おもちゃ、液晶表示テレビ、及びその他各種のポータブル電化製品に取り付け、固定することができる。本装置はさらに?独で電源を供給し、各種電化製品のために電気を送ることができる。
高電圧設備に電気を供給する必要があるときは、本装置の大きさを調節すれば、要求を満たすことができる。手動発電の電気回路１を大きくし、電気回路の中の各パーツの引数を調整すればいい。このため本実施例による新型製品も高電圧設備の領域に応用することができる。
【００２１】
本考案の第５実施例による電子データ再生機とは、主にＭＰ３オーディオプレーヤー、ＭＰ４ビデオプレーヤー、ポータブルゲーム機、携帯電話、携帯パソコン等のポータブルプレーヤーを指す。オーディオ・ビデオ再生機能つきプレーヤーと同じように、プレーヤーの外装内の設置された中央制御電気回路、データ保存器、デコーダー、デジタル・アナログコンバータ、スイッチ、及びデータインターフェイスで構成されている。特に同時に手動発電電気回路１と直流電源インターフェイス４とを有する。ここに述べる手動発電電気回路１は、機械的エネルギーを電気エネルギーに転換するために使う。または直流電源インターフェイス４の外付け電源を通し、そのあと安全制御電気回路３から出力し、オーディオ・ビデオ再生機能のプレーヤーのために電源を提供する。安全制御電気回路３は、手動発電電気回路１の出力を整流し、圧力を安定させ、出力電圧を安全で安定させるために使う。
【００２２】
図１及び図５が示すとおり、手動発電電気回路１は、ドライブホイール１１、モータ１２、整流電気回路１３、及び駆動装置で構成されている。ドライブホイール１１とモータ１２とは、伝動装置を通して接続し、モータ１２の出力ポートと整流電気回路１３とを電気接続する。整流電気回路１３は、二極管Ｄ３からＤ８で構成されている。駆動装置は、ドライブホイール１１の上に巻かれた柔らかい紐とこれにつなげられた手動制御ポート１４とで構成されており、手動制御ポート１４は、手動の引っ張り輪である。オーディオ・ビデオ再生機能つきプレーヤーの外装の上の開いた口の外に露出し、一つの突起２１の上に固定することができる。その方法は、図９から図１１に示すとおりである。手動で発電する必要のあるとき、突起２１の上から手動輪を繰り返し引っ張るだけでいい。発電した電流は、電圧リミット５を経て、安定した電圧を供給することができる。その中でモータ１２は交流モータでも直流モータでもよい。第十二極管Ｄ１０は、隔離の役割を果たす。
【００２３】
図８が示すとおり、本実施例中では、安全制御電気回路３と実施例の中の一つの安全制御電気回路３（図３が示すとおり）と比べ、ただ充電中をしめす電気回路３３と充電完了をしめす電気回路３４とを減らしただけである。作業原理はほぼ同じとなる。
本実施例による新型製品中、手動発電電気回路１は、安全制御電気回路３を通して直接オーディオ・ビデオ再生機能つきプレーヤーの中央制御電気回路につなげる。これにより機械的エネルギーを電気エネルギーに変換し、オーディオ・ビデオ再生機能つきプレーヤーのために仕事電源を供する。これと同時に安全制御電気回路３の出力ポートとオーディオ・ビデオ再生機能つきプレーヤーの充電電池ボックスを電気で接続する。充電電池が電量不足の時には、充電する。以上、図１２に示すとおりである。
【００２４】
本実施例による新型製品の改善として、オーディオ・ビデオ再生機能つきプレーヤーは、データ伝送インターフェイスとして、ＵＳＢインターフェイスを持つだけでなく、これを同時に直流電源インターフェイスとしても扱っている。また第一二極管Ｄ１を通して、安全制御電気回路３の入力ポートを接続する。その中で第一二極管Ｄ１は、隔離の役割を果たし、手動発電と外付け直流電気の入力とが互いに逆流することを防ぐ。公共電気の使用が便利な環境にある場合は、外付け直流電をつかってオーディオ・ビデオ再生機能つきプレーヤーに電気を供給することができる。あるいはオーディオ・ビデオ再生機能つきプレーヤーの充電電池を充電することができる。
【００２５】
本実施例のもう一つの改善として、オーディオ・ビデオ再生機能つきプレーヤーには手電筒２３を内臓した。操作ボタン２４は外装のあいた口の一つから外に露出しており、光源出力ポートは外装のもう一つのあいた口から外に光源を提供する。電源入力ポートと電池とを入れ、安全制御電気回路３の出力ポートをつなげる。以上の操作は、図９に示すとおりである。
第６実施例による電子データ再生機は、第５実施例と比べて唯一の違いは、駆動装置がドライブホイールとかみ合うギヤであることである。即ち手動制御ポート１４を一つのギヤとする。以上、図６に示すとおりである。手動発電する必要があるときは、ギヤを手、テーブル、またはその他の物体の表面でただ繰り返し転がせばよい。
【図面の簡単な説明】
【００２６】
【図１】本考案の実施例による手動充電式安全電源の電気回路を示す模式図である。
【図２】本考案の第１実施例による手動充電式安全電源の電気回路を示す模式図である。
【図３】本考案の第１実施例に係る安全制御電気回路を示す電気回路図である。
【図４】本考案の第１実施例に係る手動発電電気回路の構造を示す模式図である。
【図５】本考案の第２実施例及び第５実施例に係る手動発電電気回路の構造を示す模式図である。
【図６】本考案の第３実施例及び第６実施例に係る手動発電電気回路の構造を示す模式図である。
【図７】本考案の第４実施例に係る手動発電電気回路の構造を示す模式図である。
【図８】本考案の第５実施例に係る安全制御電気回路を示す電気回路図である。
【図９】本考案の第５実施例によるオーディオ・ビデオ再生機能つきプレーヤーの斜視図である。
【図１０】本考案の第５実施例によるオーディオ・ビデオ再生機能つきプレーヤーの平面図である。
【図１１】本考案の第５実施例によるオーディオ・ビデオ再生機能つきプレーヤーの背面図である。
【図１２】本考案の第５実施例によるオーディオ・ビデオ再生機能つきプレーヤーの正面図である。
【符号の説明】
【００２７】
１：手動発電電気回路、２：出力インターフェイス、３：安全制御電気回路、４：直流電源インターフェイス、５：電圧リミット、１１：ドライブホイール、１２：モータ、１３：整流電気回路、１４：手動制御ポート、２１：突起、２３：手電筒、２４：操作ボタン、３１：第一基準源電気回路、３２：第二基準源電気回路、３３：電気回路、３４：電気回路、Ｄ１：第一二極管、Ｄ１０：第十二極管、Ｄ１１：第十一二極管、Ｄ２：第二発光二極管、Ｄ３：二極管、Ｄ９：第九発光二極管、Ｅ：充電電池、Ｑ１：第一スイッチチューブ、Ｑ２：第二スイッチチューブ、Ｒ１：第一抵抗、Ｒ１０：第十抵抗、Ｒ１１：第十一抵抗、Ｒ１２：第十二抵抗、Ｒ１３：第十三抵抗、Ｒ１４：第十四抵抗、Ｒ１５：第十五抵抗、Ｒ１６：第十六抵抗、Ｒ２：第二抵抗、Ｒ３：第三抵抗、Ｒ４：第四抵抗、Ｒ７：第七抵抗、Ｒ８：第八抵抗、Ｒ９：第九抵抗、Ｕ１：第一比較器、Ｕ２：第二比較器、Ｕ３：電圧調整器
【図１】
0003133317.tif 000003
【図２】
0003133317.tif 000004
【図３】
0003133317.tif 000005
【図４】
0003133317.tif 000006
【図５】
0003133317.tif 000007
【図６】
0003133317.tif 000008
【図７】
0003133317.tif 000009
【図８】
0003133317.tif 000010
【図９】
0003133317.tif 000011
【図１０】
0003133317.tif 000012
【図１１】
0003133317.tif 000013
【図１２】
0003133317.tif 000014